(57)【要約】【課題】製造コストの増加を抑制するとともに、原稿の種類に拘わらず、原稿の画像を高精度に再現した画像データを得ること。【解決手段】原稿に対して撮像素子と同じ側から光を照射する反射原稿用光源を副走査方向に沿って移動可能に支持する支持部材に対して、モータ２２２で発生された駆動力を伝達することで、支持部材を副走査方向に沿って移動させる撮像素子移動機構２２３と、読取位置を間にして支持部材とは反対側に設けられた透過用光源部３１８と、を連結機構３０９によって連結することで、反射原稿の読み取りに適した反射原稿用光源と透過原稿の読み取りに適した透過用光源部３１８とを、単一の撮像素子移動機構２２３によって移動させるようにした。【選択図】図３
2007281565.tif 000002
【特許請求の範囲】
【請求項１】
原稿を保持する原稿台に対して接離自在なカバー部材に設けられた光源と、前記原稿台
を間にして前記光源とは反対側に設けられた撮像素子と、を備える画像読取装置において
、
前記カバー部材に設けられて前記光源を走査方向に移動させる光源移動機構と、
前記撮像素子を前記走査方向に移動させる撮像素子移動機構と、
前記撮像素子移動機構に駆動力を供給する駆動源と、
前記原稿台に対する前記カバー部材の位置に応じて前記光源移動機構と前記撮像素子移
動機構との間で引力を作用させることで、前記光源移動機構と前記撮像素子移動機構とを
連動可能に連結する連結機構と、
を備えることを特徴とする画像読取装置。
【請求項２】
前記連結機構は、所定値以上のトルクが伝達された場合に前記光源移動機構と前記撮像
素子移動機構との間ですべりを生じさせる大きさの引力を作用させ得ることを特徴とする
請求項１に記載の画像読取装置。
【請求項３】
前記カバー部材の一端部と前記撮像素子を収容する本体ハウジングとを回動自在に連結
するヒンジ部を備え、
前記カバー部材は、前記ヒンジ部を介して前記本体ハウジングに対して回動することで
前記原稿台に対して接離自在とされていることを特徴とする請求項１または２に記載の画
像読取装置。
【請求項４】
前記駆動源は、前記本体ハウジングに設けられていることを特徴とする請求項３に記載
の画像読取装置。
【請求項５】
前記駆動源は、前記カバー部材に設けられていることを特徴とする請求項１〜４のいず
れか一つに記載の画像読取装置。
【請求項６】
前記光源は、ＬＥＤによって構成されていることを特徴とする請求項１〜５のいずれか
一つに記載の画像読取装置。
【請求項７】
請求項１〜６のいずれか一つに記載の画像読取装置と、
前記画像読取装置が備える撮像素子に入射された光の強弱に応じた画像を被記録媒体上
に形成する画像形成装置と、
を備えることを特徴とする複合機。
【発明の詳細な説明】
【技術分野】
【０００１】
この発明は、画像読取装置および複合機に関する。
【背景技術】
【０００２】
従来、原稿を保持する原稿台に対して撮像素子と同じ側から照射されて原稿によって反
射された光の強弱を検出することによって原稿画像を光学的に読み取る反射型の読取機構
に加えて、原稿に対して光源とは反対側に、光源から照射された光を反射する反射板を設
けることによって、反射型および透過型の原稿画像を同じ読取機構によって読み取るよう
にした画像読取装置がある（たとえば、下記特許文献１参照。）。
【０００３】
また、従来、原稿台を間にして対向配置された光源および撮像素子を備え、光源から照
射された光を撮像素子によって受光することで透過型の原稿を読み取る画像読取装置があ
る。このような画像読取装置における光源では、原稿全体を照射可能な広さの照射領域が
確保されている。
【０００４】
このような画像読取装置には、原稿を原稿台に押さえるとともに、撮像素子へ不要な外
光が入射することを防止するためのカバー部材を備える画像読取装置がある。カバー部材
を備える画像読取装置では、カバー部材に光源が設けられているものがある。光源として
は、蛍光管やＬＥＤなどが用いられる。
【０００５】
【特許文献１】特開平６−１７８０５９号公報
【発明の開示】
【発明が解決しようとする課題】
【０００６】
しかしながら、上述した特許文献１の技術では、透過型の原稿の読み取りに際して撮像
素子に結像される光は、透過型の原稿を２回透過した光であることから、原稿の厚み分に
応じたずれをもって原稿画像が二重に重なった画像データが生成されるため、原稿を再現
した画像データの精度が元の原稿に対して低くなってしまうという問題がある。
【０００７】
これに対し、上述した従来の技術で説明したように、原稿台を間にして対向配置された
光源および撮像素子を備える画像読取装置においては、原稿の読み取りを精度よくおこな
うことができるが、使用する光源によってそれぞれ以下のような問題がある。
【０００８】
蛍光管を用いた光源では、光源を点灯してから読み取りが可能な光量に安定するまでに
時間がかかるという問題がある。また、原稿全体を照射可能な広さの照射領域を蛍光管を
用いた光源によって確保する場合、光源が大型化し、光源の大型化にともなって画像読取
装置が大型化するという問題がある。
【０００９】
また、ＬＥＤを用いた光源では、点灯直後から原稿画像の読み取りが可能になり、蛍光
管を用いた場合と比較して画像データにおけるノイズの発生を低減することができるが、
ＬＥＤ１個当たりの照射面積は限られているため、原稿全体を照射可能な広さの照射領域
を確保するためには複数のＬＥＤを設ける必要があり、このために光源が大型化し、光源
の大型化にともなって画像読取装置が大型化するという問題がある。また、単一の光源に
おいて複数のＬＥＤを用いた場合、ＬＥＤごとの光量のばらつきによって画像データの品
質が低下するという問題がある。
【００１０】
そして、上述したように、光源がカバー部材に設けられている画像読取装置では、蛍光
管あるいはＬＥＤのいずれを用いる場合にも、光源の大型化にともなってカバー部材が大
型化すると、原稿をセットするためにカバー部材を動かす作業が煩わしいという問題があ
る。
【課題を解決するための手段】
【００１１】
この発明にかかる画像読取装置は、原稿を保持する原稿台に対して接離自在なカバー部
材に設けられた光源と、前記原稿台を間にして前記光源とは反対側に設けられた撮像素子
と、を備える画像読取装置において、前記カバー部材に設けられて前記光源を走査方向に
移動させる光源移動機構と、前記撮像素子を前記走査方向に移動させる撮像素子移動機構
と、前記撮像素子移動機構に駆動力を供給する駆動源と、前記原稿台に対する前記カバー
部材の位置に応じて前記光源移動機構と前記撮像素子移動機構との間で引力を作用させる
ことで、前記光源移動機構と前記撮像素子移動機構とを連動可能に連結する連結機構と、
を備えることを特徴とする。
【００１２】
したがって、画像読取装置においては、カバー部材の接離状態に応じて光源移動機構と
撮像素子移動機構との間に作用する引力によって、光源移動機構と撮像素子移動機構とを
連結し、光源移動機構と撮像素子移動機構とを連動させることができる。これによって、
画像読取装置は、駆動源の共通化による画像読取装置の小型化、および駆動源の共通化に
ともなう消費電力の低減を図ることができる。また、これによって、利用者は、原稿台に
対してカバー部材を接離させる作業だけで光源移動機構と撮像素子移動機構とを容易に連
結させ、光源と撮像素子とを連動させることによって高精度な画像データを得ることがで
きる。
【００１３】
また、上述した画像読取装置における前記連結機構は、所定値以上のトルクが伝達され
た場合に前記光源移動機構と前記撮像素子移動機構との間ですべりを生じさせる大きさの
引力を作用させ得ることを特徴とする。
【００１４】
たとえば、所定値は、光源移動機構による光源の移動に要するとともに、光源移動機構
を構成する各部に破損を来たさない値に設定される。
【００１５】
したがって、画像読取装置においては、撮像素子移動機構から光源移動機構へ所定値未
満のトルクに限って伝達することができる。これによって、同じ駆動源からの駆動力を受
けて移動する光源および撮像素子のうち、撮像素子の移動に要する負荷に対して、小型化
にともなう軽量化によって光源の移動に要する負荷が軽減された場合にも、光源あるいは
光源移動機構に破損を来たすことなく、光源移動機構と撮像素子移動機構とを連動させる
ことができる。また、これによって、利用者は、格別な負担を覚えることなく、光源移動
機構と撮像素子移動機構とを連動させ、高精度な画像データを得ることができる。
【００１６】
また、上述した画像読取装置は、前記カバー部材の一端部と前記撮像素子を収容する本
体ハウジングとを回動自在に連結するヒンジ部を備え、前記カバー部材は、前記ヒンジ部
を介して前記本体ハウジングに対して回動することで前記原稿台に対して接離自在とされ
ていることを特徴とする。
【００１７】
したがって、画像読取装置においては、ヒンジ部を回動中心としたカバー部材の回動に
よって、光源移動機構と撮像素子移動機構とを任意に連結することができる。これによっ
て、画像読取装置は、テコの原理を利用してヒンジ部を支点としてカバー部材を回動させ
ることができ、原稿台に対するカバー部材の接離に際して利用者にかかる負担を軽減する
ことができる。また、これによって、利用者は、原稿台に対してカバー部材を容易に接離
させ、高精度な画像データを得ることができる。
【００１８】
また、上述した画像読取装置における前記駆動源は、前記本体ハウジングに設けられて
いることを特徴とする。
【００１９】
したがって、画像読取装置においては、カバー部材の重量を軽減することができる。こ
れによって、画像読取装置は、カバー部材の回動にともなう利用者の負担を軽減すること
ができる。また、これによって、利用者は、少ない負担でカバー部材を回動させ、光源移
動機構と撮像素子移動機構とを連動させて、高精度な画像データを得ることができる。
【００２０】
また、上述した画像読取装置における前記駆動源は、前記カバー部材に設けられている
ことを特徴としてもよい。
【００２１】
したがって、画像読取装置においては、本体ハウジング内において撮像素子移動機構を
簡略化することができる。これによって、画像読取装置は、本体ハウジング内が過密状態
になることによる発熱などに起因する画像読取装置の破損を防止することができる。また
、これによって、利用者は、消費電力を抑制した小型の複合機を安心して使用し、原稿台
に対してカバー部材を接離させる作業だけで、高精度な画像データを得ることができる。
【００２２】
また、上述した画像読取装置における前記光源は、ＬＥＤによって構成されていること
を特徴とする。
【００２３】
したがって、画像読取装置においては、点灯直後から原稿の読み取りが可能になる。こ
れによって、画像読取装置は、原稿の読み取りを迅速に開始するとともに、読み取り精度
の向上を図ることができる。これによって、利用者は、必要最小限の時間で、高精度な画
像データを得ることができる。また、画像読取装置においては、ＬＥＤを用いることによ
り、蛍光管を用いた場合と比較して消費電力を抑えることができる。これによって、利用
者は、ランニングコストを抑えつつ、原稿の画像を高精度に再現した画像データを、迅速
に得ることができる。
【００２４】
また、この発明にかかる複合機は、上述した画像読取装置と、前記画像読取装置が備え
る撮像素子に入射された光の強弱に応じた画像を被記録媒体上に形成する画像形成装置と
、を備えることを特徴とする。
【００２５】
したがって、複合機においては、画像形成装置におけるカバー部材の接離状態に応じて
、光源移動機構と撮像素子移動機構とを連動させることができる。これによって、複合機
は、駆動源の共通化による複合機の小型化、および駆動源の共通化にともなう消費電力の
低減を図ることができる。これによって、利用者は、消費電力を抑制した小型の複合機を
使用して、原稿台に対してカバー部材を接離させる作業だけで、高精度な画像データを得
ることができる。
【発明を実施するための最良の形態】
【００２６】
（実施の形態１）
以下に添付図面を参照して、この発明にかかる画像読取装置の好適な実施の形態１を詳
細に説明する。この実施の形態１は、この発明にかかる画像読取装置を実現するスキャナ
装置への適用例を示す。
【００２７】
図１は、実施の形態１にかかるスキャナ装置の外観を示す斜視図である。はじめに、図
１を用いて、実施の形態１にかかるスキャナ装置の外観について説明する。図１に示すよ
うに、スキャナ装置１００は、本体ユニット１１０と、透過型原稿用光源ユニット（以下
、「ＴＰＵユニット」という）１２０と、を備えている。
【００２８】
ＴＰＵユニット１２０は、本体ユニット１１０に対して対向配置されており、ヒンジ部
（図３参照）を介して、本体ユニット１１０に連結されている。ＴＰＵユニット１２０は
、ヒンジ部を支点にして、図１に示す状態から本体ユニット１１０に対して離反する方向
に回動可能に連結されている。
【００２９】
図２は、実施の形態１にかかるスキャナ装置１００の縦断正面図である。つぎに、図２
を用いて、実施の形態１のスキャナ装置１００の概略構成について説明する。図２に示す
ように、スキャナ装置１００は、本体ユニット１１０の外郭をなす本体ハウジング２１０
と、ＴＰＵユニット１２０の外郭をなすＴＰＵハウジング２３０と、を備えている。
【００３０】
本体ハウジング２１０およびＴＰＵハウジング２３０は、それぞれ、上下方向に分離可
能な２つのパーツを主体として形成されている。格別な符号は省略するが、以降、適宜、
本体ハウジング２１０およびＴＰＵハウジング２３０の上側を構成する部分を、上側本体
ハウジング、上側ＴＰＵハウジングとして説明する。同様に、本体ハウジング２１０およ
びＴＰＵハウジング２３０の下側を構成する部分を、下側本体ハウジング、下側ＴＰＵハ
ウジングとして説明する。
【００３１】
はじめに、本体ユニット１１０の概略構成について説明する。本体ユニット１１０にお
ける本体ハウジング２１０は、ＴＰＵハウジング２３０に向かって開口する開口部２１１
を備えている。開口部２１１には、開口部２１１を閉塞するように原稿台ガラス２１２が
設けられている。
【００３２】
この実施の形態１では、開口部２１１および原稿台ガラス２１２によって読取窓が実現
され、本体ハウジング２１０における開口部２１１周辺部によって枠部材が実現されてい
る。原稿台ガラス２１２上には、読み取り対象となる原稿が載置される。
【００３３】
本体ハウジング２１０および原稿台ガラス２１２によって形成される空間２１３には、
原稿台ガラス２１２に載置された原稿の画像を光学的に読み取るための光学部材２１４が
設けられている。光学部材２１４としては、原稿台ガラス２１２に向けて光を照射する反
射用光源２１５、反射用光源２１５から照射され原稿において反射された光を所定の経路
に導く複数のミラー２１６、ミラー２１６によって導かれた光を受光する撮像素子２１７
、ミラー２１６によって導かれた光を撮像素子２１７に結像させるレンズ２１８などが挙
げられる。
【００３４】
撮像素子２１７としては、たとえば、受光面に結像された光学像を光電変換して、素子
ごとの受光量に応じた電気信号を出力するフォトダイオードを用いることが可能である。
スキャナ装置１００においては、前述のフォトダイオードが、走査回路基板２１９上にお
いて、主走査方向に沿って直線的に配列されたリニアイメージセンサが、撮像素子２１７
として用いられている。
【００３５】
また、空間２１３には、スキャナキャリッジ２２０が設けられている。スキャナキャリ
ッジ２２０は、原稿台ガラス２１２と平行であって、かつ、副走査方向に延出するキャリ
ッジガイド２２１に沿って摺動自在に設けられている。
【００３６】
スキャナキャリッジ２２０には、モータ２２２に連結された撮像素子移動機構２２３を
介して、駆動源としてのモータ２２２で発生させた駆動力が伝達される。説明は後述する
が、撮像素子移動機構２２３は、モータ２２２の駆動軸に連結されたギア列や、ギア列を
構成するギアと従動ギア２２４との間に架けられた駆動ベルト２２５などによって構成さ
れている（図３参照）。スキャナキャリッジ２２０は、駆動ベルト２２５に連結されてい
る。
【００３７】
スキャナキャリッジ２２０は、モータ２２２で発生させた駆動力が撮像素子移動機構２
２３を介して伝達されることによって、原稿台ガラス２１２に沿って副走査方向に移動す
る。スキャナキャリッジ２２０は、原稿の読み取りを開始する側の端部位置に設定された
ホームポジションと、原稿を読み取り後ホームポジションに向けて折り返す位置に設定さ
れた折り返しポジションとの間を往復移動する。
【００３８】
上述した光学部材２１４は、スキャナキャリッジ２２０に搭載されている。光学部材２
１４は、スキャナキャリッジ２２０の移動にともなって、原稿台ガラス２１２に沿って副
走査方向に移動する。
【００３９】
つぎに、ＴＰＵユニット１２０の概略構成について説明する。ＴＰＵユニット１２０に
おけるＴＰＵハウジング２３０には、本体ハウジング２１０に対向する側に、本体ハウジ
ング２１０に向かって開口する開口部２３１が設けられている。また、ＴＰＵハウジング
２３０は、開口部２３１を覆う位置に、保護マット２３２が設けられている。保護マット
２３２は、ＴＰＵハウジング２３０に対して着脱自在に設けられている。
【００４０】
ＴＰＵハウジング２３０には、透過原稿用光源としての透過用光源部（図３参照）が設
けられている。透過用光源部は、写真用フィルムなどのような光透過型の原稿の読み取り
動作に際して使用され、原稿台ガラス２１２に向けて光を照射する。透過用光源部は、原
稿台ガラス２１２に沿って副走査方向に移動可能に設けられている。
【００４１】
ＴＰＵハウジング２３０には、上述したモータ２２２の駆動力を透過用光源部に伝達す
る動力伝達機構（図３参照）が設けられている。詳細な図示および説明を省略するが、Ｔ
ＰＵユニット１２０に設けられた動力伝達機構は、たとえば、撮像素子移動機構２２３に
連結されたプーリ群や駆動ベルト２３３および駆動ベルト２３３が架けられたギア対など
によって構成されている（一部図３参照）。
【００４２】
この実施の形態１において、ＴＰＵハウジング２３０に設けられた動力伝達機構は、保
護マット２３２がＴＰＵハウジング２３０から取り外されている場合にモータ２２２に連
結され、モータ２２２の駆動力を透過用光源部に伝達するように構成されている。これに
より、透過用光源部は、保護マット２３２がＴＰＵハウジング２３０から取り外されてい
る場合に限って、スキャナキャリッジ２２０とともに、モータ２２２の駆動力を受けて副
走査方向に沿って移動する。
【００４３】
透過用光源部３１８は、原稿の照射を開始する側の端部位置に設定されたホームポジシ
ョンと、原稿を照射後ホームポジションに向けて折り返す位置に設定された折り返しポジ
ションとの間を往復移動する。透過用光源部３１８用の折り返しポジションは、後述する
位相合わせ動作をおこなうことによって、透過用光源部３１８を移動させるための各部の
構成上のガタツキ分を補正することが可能な位置に設定されている。スキャナ装置１００
においては、スキャナキャリッジ２２０のホームポジションおよび折り返しポジション間
の距離が、透過用光源部３１８のホームポジションおよび折り返しポジション間の距離よ
りも長くなるように設けられている。
【００４４】
フィルムのような光透過型の原稿（以下、「フィルム」という）の読み取り動作に際し
ては、原稿台ガラス２１２の上、すなわち、本体ユニット１１０とＴＰＵユニット１２０
の間にフィルムフォルダ２４０が設置される。フィルムフォルダ２４０は、原稿台ガラス
２１２上におけるフィルム用の読取位置にフィルムが設置されるように、フィルムの設置
位置を案内するとともに、設置されたフィルムを読取位置に固定する部材である。
【００４５】
図３は、スキャナ装置１００を一部断面して示す斜視図である。図３においては、ＴＰ
Ｕハウジング２３０における上側ＴＰＵハウジングを取り外し、本体ハウジング２１０の
一部を断面した状態が示されている。図３中符号３００は、本体ユニット１１０とＴＰＵ
ユニット１２０とを連結するヒンジ部である。以下に、図３を用いて、モータ２２２の駆
動力が伝達される各部について説明する。
【００４６】
図３に示すように、本体ハウジング２１０に設けられた撮像素子移動機構２２３は、モ
ータ２２２の駆動軸に固定されたギア３０１、ギア３０１に連結されたギア列３０２〜３
０６によって構成されている。ギア３０６の回転軸心となる軸には、上述した駆動ベルト
２２５が架けられたギアが設けられている。
【００４７】
撮像素子移動機構２２３は、モータ２２２において発生された駆動力を、ギア３０１〜
３０６を介して駆動ベルト２２５に伝達することで、駆動ベルト２２５を回転させる。こ
れによって、駆動ベルト２２５に連結されたスキャナキャリッジ２２０を、副走査方向に
沿って移動させることができる。
【００４８】
また、ギア３０６の回転軸心となる軸には、当該軸を回転軸心とするプーリ３０７が設
けられている。プーリ３０７には、プーリ３０７の回転にともなって回転する複数のプー
リ群３０８を介して、連結機構３０９の一部を構成する磁性体３１０が連結されている。
磁性体３１０は、プーリ群３０８を介してモータ２２２の駆動力が伝達されることによっ
て、プーリ群３０８の軸心方向と平行な軸心回りに回転する。
【００４９】
磁性体３１０は、本体ハウジング２１０の上面においてＴＰＵユニット１２０側に向け
て開口する開口部３１１、３１２を介して、ＴＰＵユニット１２０側に設けられた磁性体
３１３に対向配置されている。磁性体３１０と磁性体３１３とは、互いを引き合う引力に
よって分離可能に連結されている。ここに、プーリ３０７、プーリ群３０８、磁性体３１
０、開口部３１１、３１２および磁性体３１３によって連結機構３０９が構成されている
。磁性体３１３は、磁性体３１０の軸心方向と平行な軸心回りに回転自在に設けられてい
る。
【００５０】
連結機構３０９を構成する磁性体３１０および３１３は、互いを引きつける磁力をとも
に有していてもよいし、少なくともいずれか一方が他方を引きつける磁力を有していても
よい。磁性体３１０または３１３の一方が磁力を有している場合、他方は、たとえば、鉄
などのように、磁力によって引きつけられる性質を有している材料によって形成する。
【００５１】
ＴＰＵハウジング２３０には、上述した駆動ベルト２３３が架けられたギア対における
一方のギア３１４と磁性体３１３とを連結するプーリ群３１５が設けられている。ギア対
における他方のギア３１６は、駆動ベルト２３３の回転に従動して回転する。ギア３１４
とギア３１６とは、副走査方向に沿って対向配置されている。
【００５２】
連結機構３０９は、撮像素子移動機構２２３から伝達されたトルクが所定より大きい場
合に、磁性体３１０と磁性体３１３との間で滑りを生じさせ、所定の大きさ以上のトルク
をプーリ群３１５に伝達しないトルクリミッタ機能を有している。ここで、所定の大きさ
のトルクとは、透過用光源部を移動させるために必要なトルクである。
【００５３】
連結機構３０９におけるトルクリミッタ機能によって、所定の大きさ以上のトルクが伝
達された場合にも、透過用光源部、プーリ群３１５、あるいは駆動ベルト２３３が架けら
れたギア対など、透過用光源部の移動に関わる各部の破損を防止することができる。
【００５４】
図３中符号３１７は、磁性体３１３、プーリ群３１５を構成するプーリ、ギア３１４な
どの軸を支持するステイである。磁性体３１３は、ステイ３１７に対して接離可能に設け
られている（図５および図６参照）。これにより、磁性体３１０と磁性体３１３とを分離
可能に噛み合わせることができる。
【００５５】
図３中符号３１８は、上述した透過用光源部を示している。透過用光源部３１８は、透
過用光源部３１８に設けられた固定部３１９において、駆動ベルト２３３に連結されてい
る。これにより、透過用光源部３１８は、駆動ベルト２３３の回転に伴って副走査方向に
沿って移動する。
【００５６】
ＴＰＵハウジング２３０には、駆動ベルト２３３の側方であって、かつ、透過用光源部
３１８の移動軌跡に重複する位置において、副走査方向に沿って延出するガイドレール３
２０が設けられている。ガイドレール３２０には、透過用光源部３１８において、ガイド
レール３２０に対向する位置に設けられた溝３２１が嵌め込まれる。これによって、透過
用光源部３１８を副走査方向に沿って安定して移動させることができる。
【００５７】
透過用光源部３１８から照射された光は、ＴＰＵハウジング２３０に設けられた開口部
３２２を介して、原稿台ガラス２１２側に導かれる。開口部３２２は、透過用光源部３１
８のうち、フィルムの読み取り範囲をカバーするように設けられている。
【００５８】
図４は、透過用光源部３１８を示す分解斜視図である。図４を用いて、透過用光源部３
１８の構成について説明する。図４に示すように、透過用光源部３１８は、ＬＥＤ４０１
と、ＬＥＤ４０１によって発光された光を伝播させる導光板４０２と、を備えている。導
光板４０２によって、ＬＥＤ１個あたりの照射面積よりも広い面積を照射することができ
る。なお、図４中、導光板４０２に表記された仮想線は、導光板４０２における有効発光
エリアを示している。
【００５９】
導光板４０２中を伝播された光は、プリズムシート４０３および拡散シート４０４を介
して、支持フレーム４０５に設けられた開口部４０６から、原稿台ガラス２１２に向けて
照射される。プリズムシート４０３および拡散シート４０４を介することにより、導光板
４０２中を伝播された光をより広い面積に照射することができる。
【００６０】
透過用光源部３１８において、導光板４０２を間にして開口部４０６とは反対側には、
導光板４０２中を伝播された光を開口部４０６へ向けて反射させる反射板４０７が設けら
れている。反射板４０７を設けることによって、導光板４０２中を伝播された光を、効率
よく原稿台ガラス２１２側へ照射することができる。
【００６１】
上述した固定部３１９は、支持フレーム４０５の側方に設けられており、原稿台ガラス
２１２側から駆動ベルト２３３を狭持するように、上方に向けて開口している。
【００６２】
図５は連結機構３０９を拡大して示す斜視図（その１）、図６は連結機構３０９を拡大
して示す斜視図（その２）である。図５は、磁性体３１０と磁性体３１３とが磁力によっ
て連結された状態を示している。図６は、磁性体３１０と磁性体３１３とが離間された状
態を示している。
【００６３】
図５および図６から分かるように、連結機構３０９における磁性体３１３は、ステイ３
１７から離間している場合に磁性体３１０に連結され、ステイ３１７近傍に位置している
場合に磁性体３１０が離間される。磁性体３１０、３１３において、互いに対向する面は
、平面とされている（符号６０２参照）。これによって、引力を作用させる面を広く確保
し、磁性体３１０と磁性体３１３とを確実に連結させることができる。
【００６４】
図示を省略するが、スキャナ装置１００は、上述した構成に加えて、利用者による各種
指示操作を受け付ける操作パネルや、スキャナ装置１００における各部を駆動制御する各
種制御回路や、操作パネルによって受け付けた指示操作に応じて各種制御回路を制御する
制御系などを備えている。操作パネルでは、紙などの光を透過しない原稿（反射型の原稿
）の画像を読み取る指示操作や、フィルムの画像を読み取る指示操作などを受け付ける。
【００６５】
加えて、図示を省略するが、スキャナ装置１００は、パーソナルコンピュータなどの外
部装置との間で通信をおこなう通信Ｉ／Ｆを備えていてもよい。この場合、スキャナ装置
１００は、パーソナルコンピュータにおいて受け付けた指示操作に応じたコマンドを、通
信Ｉ／Ｆを介して受信する。
【００６６】
スキャナ装置１００は、操作パネルを介して受け付けた指示操作や、通信Ｉ／Ｆを介し
て受信したコマンドに応じて、スキャナキャリッジ２２０を移動させたり、反射用光源２
１５や透過用光源部３１８を点灯／消灯させたり、撮像素子２１７に結像された光を光電
変換することによって画像データを生成したりする。この実施の形態１においては、画像
データを生成するために関わる各部および当該各部によっておこなわれる各種処理によっ
て、画像データ生成手段としての機能が実現される。
【００６７】
スキャナ装置１００は、生成された画像データを、任意の記憶媒体に記憶するようにし
てもよいし、通信Ｉ／Ｆを介してパーソナルコンピュータなどの外部装置に送信するよう
にしてもよい。この実施の形態１においては、生成された画像データを、外部装置に送信
するために関わる各部および当該各部によっておこなわれる各種処理によって、出力手段
としての機能が実現される。
【００６８】
このような構成を備えたスキャナ装置１００によってフィルムの画像を読み取る場合、
利用者は、原稿台ガラス２１２上にフィルムフォルダ２４０を設置し、フィルムフォルダ
２４０によって案内される所定の位置にフィルムを設置する。また、利用者は、フィルム
の設置に前後して、ＴＰＵハウジング２３０から保護マット２３２を取り外す。
【００６９】
つづいて、図１あるいは図２に示したように、ＴＰＵユニット１２０を本体ユニット１
１０に対向させる。これにより、連結機構３０９における磁性体３１０と磁性体３１３と
が噛み合わされ、透過用光源部３１８と撮像素子移動機構２２３とが連結される。
【００７０】
その後、利用者は、フィルムの画像を読み取る指示操作をおこなう。指示操作は、スキ
ャナ装置１００が備える操作パネルを介しておこなってもよいし、パーソナルコンピュー
タなどの外部装置においておこなってもよい。
【００７１】
フィルムの画像を読み取る指示操作があった場合、スキャナ装置１００は、モータ２２
２を駆動させ、スキャナキャリッジ２２０および透過用光源部３１８を副走査方向に沿っ
て移動させながら、撮像素子２１７の受光量を検出する。そして、検出された受光量に基
づいて画像データを生成する。
【００７２】
なお、スキャナ装置１００は、画像データの生成に先立って、画像データにおける黒色
や白色の基準となる各種基準データを取得し、取得された基準データを用いて画像データ
のシェーディング補正をおこなってもよい。基準データの取得および取得された基準デー
タを用いたシェーディング補正については、公知の技術であるため、ここでは説明を省略
する。
【００７３】
また、スキャナ装置１００は、画像データの生成に先立って、撮像素子２１７と透過用
光源部３１８との副走査方向における相対的な位置を補正する位相合わせ動作をおこなう
。位相合わせ動作に際しては、はじめに、ＴＰＵユニット１２０に設けられた動力伝達機
構とモータ２２２とが連結された状態で、モータ２２２を駆動して、スキャナキャリッジ
２２０を折り返しポジションまで移動させる。
【００７４】
上述したように、スキャナ装置１００においては、スキャナキャリッジ２２０のホーム
ポジションおよび折り返しポジション間の距離が、透過用光源部３１８のホームポジショ
ンおよび折り返しポジション間の距離よりも長くなるように設けられている。このため、
スキャナキャリッジ２２０が折り返しポジションまで移動する間に、透過用光源部３１８
が透過用光源部３１８用の折り返しポジションに突き当たる。
【００７５】
この状態で、モータ２２２をさらに駆動すると、連結機構３０９におけるトルクリミッ
タ機能磁性体３１０と磁性体３１３との間にすべりが生じ、透過用光源部３１８を折り返
しポジションに位置づけた状態で、スキャナキャリッジ２２０のみが折り返しポジション
まで移動する。
【００７６】
そして、スキャナキャリッジ２２０を折り返しポジションまで移動させた後、さらにモ
ータ２２２を駆動して、スキャナキャリッジ２２０および透過用光源部３１８を折り返し
ポジションからホームポジションまで移動させる。スキャナキャリッジ２２０がホームポ
ジションまで移動した時点で、透過用光源部３１８と撮像素子２１７との位相合わせ動作
が完了する。
【００７７】
なお、スキャナキャリッジ２２０が折り返しポジションあるいはホームポジションまで
移動したことは、所定の位置にセンサを設けることによって検出することができる。スキ
ャナキャリッジ２２０の位置を検出するためのセンサおよびセンサを用いたスキャナキャ
リッジ２２０の位置を検出する技術については公知の技術であるため説明を省略する。
【００７８】
また、スキャナキャリッジ２２０がスキャナキャリッジ２２０用の折り返しポジション
に到達する前に、透過用光源部３１８が透過用光源部３１８用の折り返しポジションに到
達した場合にも、連結機構３０９におけるトルクリミッタ機能磁性体３１０と磁性体３１
３との間にすべりが生じ、透過用光源部３１８を折り返しポジションに位置づけた状態で
、スキャナキャリッジ２２０のみが折り返しポジションまで移動する。
【００７９】
上述したように、実施の形態１のスキャナ装置１００によれば、反射原稿の読み取りに
適した反射用光源２１５を搭載するスキャナキャリッジ２２０と透過原稿の読み取りに適
した透過用光源部３１８とを、単一の撮像素子移動機構２２３によって移動させることが
できる。
【００８０】
これによって、スキャナ装置１００は、反射用光源２１５と透過用光源部３１８とを原
稿の種類に応じて使い分けるような構成とした場合にも、スキャナキャリッジ２２０およ
び透過用光源部３１８を単一の撮像素子移動機構２２３によって移動させることで、反射
用光源２１５と透過用光源部３１８とを原稿の種類に応じて使い分けることによる製造コ
ストの増加を抑制することができる。
【００８１】
また、これによって、利用者は、原稿の種類に拘わらず、原稿の画像を高精度に再現し
た画像データを、製造コストの増加を抑制したスキャナ装置１００によって得ることがで
きる。
【００８２】
また、実施の形態１のスキャナ装置１００によれば、所定値以上のトルクが伝達された
場合には連結機構３０９においてすべりが生じるため、透過用光源部３１８の移動に関わ
る各部に破損を来たすことなく、光源移動機構３１８と撮像素子移動機構２２３とを連動
させることができる。これによって、利用者は、格別な負担を覚えることなく、光源移動
機構３１８と撮像素子移動機構２２３とを連動させ、高精度な画像データを得ることがで
きる。
【００８３】
なお、実施の形態１では、撮像素子移動機構２３２から透過用光源部３１８の移動に関
わる各部に対して所定値以上のトルクが伝達された場合に、連結機構３０９における磁性
体３１０と磁性体３１３との間においてすべりを生じさせることでトルクリミッタ機能を
実現するようにしたが、トルクリミッタ機能の実現は磁力を利用したものに限らない。
【００８４】
図示を省略するが、たとえば、磁性体３１０および磁性体３１３に代えて、一対のギア
を設け、撮像素子移動機構２３２から透過用光源部３１８の移動に関わる各部に対して所
定値以上のトルクが伝達された場合には、一対のギアのいずれか一方を空転させることで
トルクリミッタ機能を実現するようにしてもよい。所定値以上のトルクが伝達された場合
にギアを空転させる具体的な手法については公知の技術であるため、ここでは説明を省略
する。
【００８５】
また、実施の形態１のスキャナ装置１００によれば、フィルムを読み取る場合に限って
、透過用光源部３１８を移動させることで、消費電力を必要最低限に抑えることができる
。また、これによって、利用者は、原稿の種類に拘わらず、原稿の画像を高精度に再現し
た画像データを、消費電力を抑制したスキャナ装置１００によって得ることができる。
【００８６】
また、実施の形態１のスキャナ装置１００によれば、ＴＰＵユニット１２０が原稿台ガ
ラス２１２に対向配置されている場合に限って、透過用光源部３１８と撮像素子移動機構
２３２とを連結させることができる。これによって、利用者は、原稿台ガラス２１２にフ
ィルムを設置するためにＴＰＵユニット１２０を原稿台ガラス２１２に対向させるという
従来と同じ動作をおこなうだけで、違和感やストレスを覚えることなく、容易にフィルム
の読み取り動作を行わせることができる。
【００８７】
また、実施の形態１のスキャナ装置１００によれば、モータ２２２がＴＰＵユニット１
２０に設けられているため、ＴＰＵユニット１２０の重量を軽減することができる。これ
によって、スキャナ装置１００は、ＴＰＵユニット１２０の回動にともなう利用者の負担
を軽減することができる。また、これによって、利用者は、少ない負担でＴＰＵユニット
１２０を回動させることができる。
【００８８】
なお、実施の形態１においては、モータ２２２がＴＰＵユニット１２０に設けられてい
るスキャナ装置１００について説明したが、モータ２２２はＴＰＵユニット１２０に設け
られていてもよい。この場合、スキャナ装置１００においては、本体ハウジング２１０内
において撮像素子移動機構２２３を簡略化することができる。
【００８９】
これによって、スキャナ装置１００は、本体ハウジング２１０内が過密状態になること
による発熱などに起因するスキャナ装置１００の破損を防止することができる。また、こ
れによって、利用者は、消費電力を抑制した小型の複合機を安心して使用し、原稿台ガラ
ス２１２に対してＴＰＵユニット１２０を接離させる作業だけで、高精度な画像データを
得ることができる。
【００９０】
また、実施の形態１のスキャナ装置１００によれば、透過用光源部３１８においてＬＥ
Ｄ４０１を用いているため、ＬＥＤ４０１を点灯した直後からフィルムの読み取り動作が
開始可能となる。これによって、スキャナ装置１００は、フィルムの読み取り動作を迅速
に開始することができる。また、これによって、利用者は、原稿の種類に拘わらず、原稿
の画像を高精度に再現した画像データを、迅速に得ることができる。
【００９１】
ＬＥＤ４０１は、蛍光管を用いた場合と比較して画像データにおけるノイズの発生が少
ない。これによって、利用者は、原稿の種類に拘わらず、原稿の画像を一層高精度に再現
した画像データを、迅速に得ることができる。また、スキャナ装置１００においては、Ｌ
ＥＤ４０１を用いることにより、蛍光管を用いた場合と比較して消費電力を抑えることが
できる。これによって、利用者は、ランニングコストを抑えつつ、原稿の画像を高精度に
再現した画像データを、迅速に得ることができる。
【００９２】
また、実施の形態１のスキャナ装置１００は、原稿の種類に拘わらず、原稿の画像を高
精度に再現した画像データを、パーソナルコンピュータなどの外部装置へ出力することが
できる。また、これによって、利用者は、原稿の種類に拘わらず、原稿の画像を高精度に
再現した画像データを、パーソナルコンピュータなどの外部装置で利用することができる
。
【００９３】
（実施の形態２）
図７は、実施の形態２にかかる複合機の外観を示す斜視図である。つぎに、この発明に
かかる複合機の好適な実施の形態２を説明する。実施の形態２にかかる複合機７００は、
上述した実施の形態１で説明したスキャナ装置１００と、スキャナ装置１００が備える撮
像素子２１７に入射された光の強弱に応じた画像を被記録媒体上に形成する画像形成装置
としてのプリンタ７０１と、を備えている。
【００９４】
スキャナ装置１００とプリンタ７０１とは、図示しない通信Ｉ／Ｆを介して相互通信可
能に接続されている。スキャナ装置１００は、撮像素子２１７に入射された光の強弱に応
じた画像データをプリンタ７０１へ出力する。
【００９５】
プリンタ７０１は、紙などの被記録媒体に画像を形成するプリンタエンジンを備えてい
る。公知の技術であるため図示および説明を省略するが、プリンタエンジンにおける画像
形成方式は、たとえば、インクジェット方式、静電転写方式、昇華転写方式など、各種の
方式を適用することができる。
【００９６】
このような構成を備える複合機７００において、プリンタ７０１は、スキャナ装置１０
０から出力された画像データに基づいて、紙などの被記録媒体に画像を形成する。
【００９７】
このような複合機７００によれば、原稿の種類に拘わらず、原稿の画像を高精度に再現
した画像データに基づく画像を、紙などの被記録媒体に形成することができる。また、こ
れによって、利用者は、原稿の種類に拘わらず、原稿の画像を高精度に再現した画像デー
タに基づく画像が形成された被記録媒体を得ることができる。
【図面の簡単な説明】
【００９８】
【図１】実施の形態１にかかるスキャナ装置の外観を示す斜視図。
【図２】実施の形態１にかかるスキャナ装置の縦断正面図。
【図３】スキャナ装置を一部断面して示す斜視図。
【図４】透過用光源部を示す分解斜視図。
【図５】連結機構を拡大して示す斜視図（その１）。
【図６】連結機構を拡大して示す斜視図（その２）。
【図７】実施の形態２にかかる複合機の外観を示す斜視図。
【符号の説明】
【００９９】
１００  スキャナ装置、１２０  ＴＰＵユニット、２１７  撮像素子、２２２  モータ
、２２３  撮像素子移動機構、３０９  連結機構、３１０、３１３  磁性体、３１８  透
過用光源部、４０１  ＬＥＤ、７００  複合機、７０１  プリンタ
【図１】
2007281565.tif 000003
【図２】
2007281565.tif 000004
【図３】
2007281565.tif 000005
【図４】
2007281565.tif 000006
【図５】
2007281565.tif 000007
【図６】
2007281565.tif 000008
【図７】
2007281565.tif 000009